(57)【要約】      （修正有）【課題】水道水を殺菌、浄化すると共に、不純物が除去される浄水器を提供する。【解決手段】筐体と、乱流手段１２と、発電手段１３と、殺菌手段１４と、浄化手段１５と、を含む浄水器１であって、筐体は、互いに連通する流入部１１１と、流出部１１２と、第１ねじ部１１８と、を備え、乱流手段は、筐体に設けられ、流入部に対応し、発電手段は、筐体に設けられ、乱流手段に結合され、殺菌手段は、筐体に設けられ、発電手段に電気的に接続され、殺菌光源を有し、浄化手段は、筐体に設けられ、流出部及び殺菌手段に対応し、複数の浄化粒子１５１を有する。これにより、浄水器は、第１ねじ部を蛇口に結合することで、水道水を流入部から流出部に流れさせることができ、水道水が流れている過程で乱流手段を介して発電手段を駆動させることができ、発電手段が殺菌手段に必要な電力を供給し、殺菌手段が光触媒方式で水道水を殺菌させ、浄化手段が中和方式で水道水を浄化させると共に不純物を除去する。【選択図】図２
0003229194.tif 000002
【実用新案登録請求の範囲】
【請求項１】
両端に各々互いに連通する流入部と、流出部と、を有し、前記流入部は第１ねじ部を有し、前記第１ねじ部により前記流入部を蛇口に着脱可能に結合させる筐体と、
前記筐体内に設けられ、前記流入部に対応する乱流手段と、
前記筐体内に設けられ、前記乱流手段に結合された発電手段と、
前記筐体内に設けられ、前記発電手段に電気的に接続され、殺菌光源を有する殺菌手段と、
前記筐体内に設けられ、前記流出部及び前記殺菌手段に対応し、複数の浄化粒子を備える浄化手段と、
を含む、浄水器。
【請求項２】
前記筐体は、透光領域を備え、前記透光領域が前記殺菌光源に対応できる、請求項１に記載の浄水器。
【請求項３】
前記筐体は、前記流入部及び前記乱流手段に連通するネック部をさらに含む、請求項１に記載の浄水器。
【請求項４】
前記発電手段は、電磁式発電機と、羽根組と、を含み、前記羽根組が前記電磁式発電機に接続され、前記電磁式発電機の頂端に位置制限溝を有し、前記電磁式発電機の両側に各々流路部を有し；前記乱流手段は、組付部と、カバーと、複数の乱流入口と、を含み、前記組付部が前記カバーの底部に周設され、前記乱流入口が前記カバーの側縁部に設けられ、かつ前記組付部が前記電磁式発電機の前記位置制限溝に設けられることで、前記カバーにより前記羽根組を覆わせ、前記乱流入口が前記流路部に連通し、かつ前記乱流入口が前記羽根組の接線方向に沿って設けられる、請求項１に記載の浄水器。
【請求項５】
前記殺菌手段は、制御モジュールと、少なくとも１個の殺菌灯と、防水接着剤層と、を含み、前記制御モジュールが前記発電手段の底部に設けられ、前記殺菌灯が電気的な接続方式で前記制御モジュールの一面に設けられ、前記殺菌灯に殺菌光源を発光させることができ、前記防水接着剤層が前記制御モジュールの一面に設けられることで前記殺菌灯を露出させる、請求項１に記載の浄水器。
【考案の詳細な説明】
【技術分野】
【０００１】
本考案は、浄水器に関し、特に、水道水を殺菌、浄化すると共に不純物が除去される浄水器に関する。
【背景技術】
【０００２】
水道水は、一般の人々の日常生活で洗浄及び飲用等に使用されるため、水質にある程度の清浄度を維持し、飲料水が人体に直接取り込まれるため、水質への要求がさらに重視されるため、水質浄化の効果を奏するため、一般市民が水道水をろ過するため、通常浄水器の取り付けを選択している。
【０００３】
従来の浄水器の多くは、活性炭フィルタで水中の不純物をろ過除去して脱臭を実現し、殺菌、不純物の除去及び脱臭の効果を兼ね備えることができないため、従来の浄水器が使用において使用者のニーズを満たすことができなかった。
【考案の概要】
【考案が解決しようとする課題】
【０００４】
そこで本考案者は、上述した従来技術の欠陥に鑑み、水道水を殺菌、浄化すると共に不純物を除去することで、ダブル効果の水質浄化の目的を達成するために鋭意研究し努力した結果、浄水器を開発した。
【課題を解決するための手段】
【０００５】
上記目的及び他の目的を達成するため、本考案は、筐体と、乱流手段と、発電手段と、殺菌手段と、浄化手段と、を含む浄水器を提供する。前記筐体の両端に各々互いに連通する流入部と、流出部と、を有し、前記流入部は第１ねじ部を有し、前記第１ねじ部により前記流入部を蛇口に着脱可能に結合させ；前記乱流手段は、前記筐体内に設けられ、前記流入部に対応し；前記発電手段は、前記筐体内に設けられ、前記乱流手段に結合され；前記殺菌手段は、前記筐体内に設けられ、前記発電手段に電気的に接続され、殺菌光源を有し；前記浄化手段は、前記筐体内に設けられ、前記流出部及び前記殺菌手段に対応し、複数の浄化粒子を備える。
【０００６】
上記浄水器において、前記筐体は、上筐体と、下筐体と、を含み、前記上筐体が第２ねじ部を有し、前記下筐体が第３ねじ部を有し、前記第２ねじ部により前記上筐体を前記下筐体の第３ねじ部に着脱可能に結合させ、前記流入部が前記上筐体に設けられ、前記流出部が前記下筐体に設けられる。
【０００７】
上記浄水器において、前記筐体は、透光領域を備え、前記透光領域が前記殺菌光源に対応できる。
【０００８】
上記浄水器において、前記筐体は、前記流入部及び前記乱流手段に連通するネック部をさらに含む。
【０００９】
上記浄水器において、前記流出部は、複数の貫通孔で構成され、これら貫通孔がこれら浄化粒子よりも小さい。
【００１０】
上記浄水器において、前記発電手段は、電磁式発電機と、羽根組と、を含み、前記羽根組が前記電磁式発電機に接続され、前記電磁式発電機の頂端に位置制限溝を有し、前記電磁式発電機の両側に各々流路部を有する。
【００１１】
上記浄水器において、前記乱流手段は、組付部と、カバーと、複数の乱流入口と、を含み、前記組付部が前記カバーの底部に周設され、これら乱流入口が前記カバーの側縁部に設けられ、かつ前記組付部が前記電磁式発電機の位置制限溝に設けられることで、前記カバーにより前記羽根組を覆わせ、これら乱流入口がこれら流路部に連通し、かつこれら乱流入口が前記羽根組の接線方向に沿って設けられる。
【００１２】
上記浄水器において、前記殺菌手段は、制御モジュールと、少なくとも１個の殺菌灯と、防水接着剤層と、を含み、前記制御モジュールが前記発電手段の底部に設けられ、これら殺菌灯が電気的な接続方式で前記制御モジュールの一面に設けられ、これら殺菌灯に殺菌光源を発光させることができ、前記防水接着剤層が前記制御モジュールの一面に設けられることでこれら殺菌灯を露出させる。
【００１３】
上記浄水器において、これら殺菌灯は、ＵＶＣ光源である。
【００１４】
上記浄水器において、これら浄化粒子は、浄化用セラミックボールである。
【考案の効果】
【００１５】
これにより、本考案の浄水器は、筐体の一端を蛇口に結合することで、水道水を流入部から流出部に流れさせることができ、水道水が流れている過程で乱流手段を介して発電手段を駆動させることができ、発電手段が殺菌手段に必要な電力を供給し、殺菌手段が光触媒方式で水道水を殺菌させ、浄化手段が中和方式で水道水を浄化させると共に不純物を除去することで、ダブル効果の水質浄化目的を達成する。
【図面の簡単な説明】
【００１６】
【図１】本考案の好ましい実施例の外観図である。
【図２】本考案の好ましい実施例の分解図である。
【図３】本考案の好ましい実施例の使用状態を示す模式図である。
【考案を実施するための形態】
【００１７】
以下、本考案の目的、特徴及び効果を十分に理解してもらうため、下記具体的実施例及び添付図面を参照しつつ、本考案を詳細に説明する。
【００１８】
図１乃至図３を参照すると、図に示すように、本考案は、浄水器であり、前記浄水器１が筐体１１と、乱流手段１２と、発電手段１３と、殺菌手段１４と、浄化手段１５と、を含む。
【００１９】
前記筐体１１の両端に各々互いに連通する流入部１１１と、流出部１１２と、を有し、前記流入部１１１は第１ねじ部１１８を有し、前記第１ねじ部１１８により前記流入部１１１を蛇口２に着脱可能に結合させる。
【００２０】
前記乱流手段１２は、前記筐体１１内に設けられ、前記流入部１１１に対応する。
【００２１】
前記発電手段１３は、前記筐体１１内に設けられ、前記乱流手段１２に結合される。
【００２２】
前記殺菌手段１４は、前記筐体１１内に設けられ、前記発電手段１３に電気的に接続され、殺菌光源を有する。
【００２３】
前記浄化手段１５は、前記筐体１１内に設けられ、前記流出部１１２及び前記殺菌手段１３に対応し、複数の浄化粒子１５１を備える。
【００２４】
使用時、前記筐体１１の流入部１１１に防水パッキン２１を組み合わせて前記浄水器１を前記蛇口２の吐出口に結合できる。このように、前記第１ねじ部１１８の螺合により、前記流入部１１１を前記蛇口２の吐水口に結合させることで、前記流入部１１１の着脱が容易であるという効果を奏する。
【００２５】
前記蛇口２を開けて水を使用する時、水道水を前記流入部１１１から前記筐体１１に入り、前記乱流手段１２、前記発電手段１３、前記殺菌手段１４及び前記浄化手段１５を通過して前記流出部１１２に流れ；水道水は流れている過程で前記乱流手段１２を介して前記発電手段１３を駆動させることができ、前記発電手段１３が前記殺菌手段１４に必要な電力を供給して起動させ、前記殺菌手段１４から発した殺菌光源が光触媒方式で水道水を殺菌し、前記浄化手段１５のこれら浄化粒子１５１が中和方式で水道水を浄化すると共に不純物を除去して、ダブル効果の水質浄化効果を奏し、処理された水道水を使用者が使用するために前記流出部１１２に流れさせる。
【００２６】
本考案の一実施例において、前記筐体１１は、上筐体１１３と、下筐体１１４と、を含み、前記上筐体１１３が第２ねじ部１１５を有し、前記下筐体１１４が第３ねじ部１１６を有し、前記第２ねじ部１１５により前記上筐体１１３を前記下筐体１１４の第３ねじ部１１６に着脱可能に結合させ、前記流入部１１１が前記上筐体１１３に設けられ、前記流出部１１２が前記下筐体１１４に設けられる。このように、前記上筐体１１３及び前記下筐体１１４は、前記第２ねじ部１１５及び前記第３ねじ部１１６の螺合を通じて、前記乱流手段１２、前記発電手段１３、前記殺菌手段１４及び前記浄化手段１５を分解又は組み立てる時、分解又は組み立てを容易にするという効果を奏する。
【００２７】
本考案の一実施例において、前記下筐体１１４は、透光領域１１７を備え、前記透光領域１１７が前記殺菌手段１４から発した殺菌光源に対応でき；前記殺菌手段１４が起動すると、前記殺菌手段１４から発した殺菌光源が前記透光領域１１７を介して表示させ、使用者に前記殺菌手段１４が起動状態にあるか否かを前記筐体１１の外側から知ることができる。
【００２８】
本考案の一実施例において、前記筐体１は、ネック部１１３１をさらに含み、前記ネック部１１３１が前記流入部１１１及び前記乱流手段１２に連通し、かつ前記ネック部１１３１が前記上筐体１１３の前記流入部１１１に近い部位に設けられることができる。このように、水道水が前記流入部１１１から前記筐体１１に入ると、ネック部１１３１を通じて大面積の流入部１１１から小面積のネック部１１３１へ流れさせることで、前記乱流手段１２に流れる水道水の流速を加速させ、したがって水道水で駆動される前記発電手段１３の回転速度を上げ、前記発電手段１３の発電量を増やして前記殺菌手段１４に必要な電力を供給して起動させ、前記殺菌手段１４から発した殺菌光源が光触媒方式で水道水を殺菌し、前記浄化手段１５のこれら浄化粒子１５１が中和方式で水道水を浄化すると共に不純物を除去して、ダブル効果の水質浄化効果を奏し、処理された水道水を使用者が使用するために前記流出部１１２に流れさせる。
【００２９】
本考案の一実施例において、前記流出部１１２は、複数の貫通孔１１２１で構成され、これら貫通孔１１２１がこれら浄化粒子１５１より小さい。このようにして、これら浄化粒子１５１がこれら貫通孔１１２１から落ちるのを防止でき、これら貫通孔１１２１を介して水道水が前記筐体１１内に滞留する時間を長くすることで、前記殺菌手段１４が光触媒方式で水道水を効果的に殺菌させ、前記浄化手段１５のこれら浄化粒子１５１で水道水を効果的に浄化させると共に不純物を除去できて、確実な水質浄化の目的を達成する。
【００３０】
本考案の一実施例において、前記発電手段１３は、電磁式発電機１３１と、羽根組１３２と、を含み、前記羽根組１３２が前記電磁式発電機１３１に接続され、前記電磁式発電機１３１の頂端に位置制限溝１３３を有し、前記電磁式発電機１３１の両側に各々流路部１３４を有し、前記乱流手段１２を前記位置制限溝１３３に設けさせる。このようにして、水道水は前記乱流手段１２を介して前記羽根組１３２を動かせ、前記羽根組１３２を回転させて前記電磁式発電機１３１を駆動することで、前記発電手段１３が前記殺菌手段１４に必要な電力を供給して起動させ、かつ水道水がこれら流路部１３４から前記殺菌手段１４に流し、前記殺菌手段１４から発した殺菌光源が光触媒方式で水道水を殺菌し、前記浄化手段１５のこれら浄化粒子１５１が中和方式で水道水を浄化すると共に不純物を除去して、ダブル効果の水質浄化効果を奏し、処理された水道水を使用者が使用するために前記流出部１１２に流れさせる。
【００３１】
本考案の一実施例において、前記乱流手段１２は、組付部１２１と、カバー１２２と、複数の乱流入口１２３と、を含み、前記組付部１２１が前記カバー１２２の底部に周設され、これら乱流入口１２３が前記カバー１２２の側縁部に設けられ、かつ前記組付部１２１が前記電磁式発電機１３１の位置制限溝１３３に設けられることで、前記カバー１２２により前記羽根組１３２を覆わせ、これら乱流入口１２３がこれら流路部１３４に連通し、かつこれら乱流入口１２３が前記羽根組１３２の接線方向に沿って設けられる。このようにして、前記ネック部１１３１により水道水の流速を加速させた後、さらにこれら乱流入口１２３から前記カバー１２２に入ると共に前記羽根組１３２を駆動させ、これら乱流入口１２３は前記羽根組１３２の接線方向に沿って設けられるため、前記羽根組１３２を押す水道水の流速を加速できて、水道水で駆動される前記羽根組１３２の回転速度を上げ、前記羽根組１３２を回転させて前記電磁式発電機１３１を駆動することで、前記発電手段１３が前記殺菌手段１４に必要な電力を供給して起動させ、かつ水道水がこれら流路部１３４から前記殺菌手段１４に流し、前記殺菌手段１４から発した殺菌光源が水道水を殺菌させ、前記浄化手段１５のこれら浄化粒子１５１が水道水を浄化させると共に不純物を除去して、ダブル効果の水質浄化効果を奏し、処理された水道水を使用者が使用するために前記流出部１１２に流れさせる。
【００３２】
本考案の一実施例において、前記殺菌手段１４は、制御モジュール１４１と、少なくとも１個の殺菌灯１４２と、防水接着剤層１４３と、を含み、前記制御モジュール１４１が前記発電手段１３を設けた前記電磁式発電機１３１の底部に設けられ、これら殺菌灯１４２の動作モードを制御でき、これら殺菌灯１４２が電気的な接続方式で前記制御モジュール１４１の一面に設けられ、これら殺菌灯１４２から殺菌光源を発すことができ、前記防水接着剤層１４３が前記制御モジュール１４１の一面の一部に設けられ、これら殺菌灯１４２を覆うことで、前記制御モジュール１４１及びこれら殺菌灯１４２が濡らされたことにより損傷を防止でき；前記制御モジュール１４１は、回路基板、論理回路、単一チップ又はそれらの組み合わせであってもよく、これら殺菌灯１４２がＵＶＣ光源であり得る。このようにして、前記発電手段１３が前記殺菌手段１４に必要な電力を供給すると、前記制御モジュール１４１を起動させ、前記制御モジュール１４１がこれら殺菌灯１４２の動作モードを制御できることで、これら殺菌灯１４２から殺菌光源を発し光触媒方式で水道水を殺菌する。
【００３３】
本考案の一実施例において、これら浄化粒子１５１は、浄化用セラミックボール（例：銀イオンセラミックボール）であり得る。このようにして、これら浄化粒子１５１の材料を介して中和方式で水道水を浄化すると共に不純物を除去し、前記殺菌手段１４が水道水を殺菌させることで、確実な水質浄化目的を達成することができる。
【００３４】
本考案では好ましい実施例を前述の通り開示したが、この実施例はあくまでも本考案の技術内容を明らかにするものであって、これらによって本考案の技術的範囲が限定的に解釈されないことが当業者に明らかである。前記実施例と均等な変化及び置換は、本考案の範囲に含まれるべきであることに留意されたい。したがって、本考案の保護範囲は、特許請求の範囲で画定されるものを基準とする。
【符号の説明】
【００３５】
１  浄水器
１１  筐体
１１１  流入部
１１２  流出部
１１２１  貫通孔
１１３  上筐体
１１３１  ネック部
１１４  下筐体
１１５  第２ねじ部
１１６  第３ねじ部
１１７  透光領域
１１８  第１ねじ部
１２  乱流手段
１２１  組付部
１２２  カバー
１２３  乱流入口
１３  発電手段
１３１  電磁式発電機
１３  羽根組
１３３  位置制限溝
１３４  流路部
１４  殺菌手段
１４１  制御モジュール
１４２  殺菌灯
１４３  防水接着剤層
１５  浄化手段
１５１  浄化粒子
２  蛇口
２１  防水パッキン
【図１】
0003229194.tif 000003
【図２】
0003229194.tif 000004
【図３】
0003229194.tif 000005
【手続補正書】
【提出日】令和2年8月31日(2020.8.31)
【手続補正１】
【補正対象書類名】実用新案登録請求の範囲
【補正対象項目名】全文
【補正方法】変更
【補正の内容】
【実用新案登録請求の範囲】
【請求項１】
両端に各々互いに連通する流入部と、流出部と、を有し、前記流入部は第１ねじ部を有し、前記第１ねじ部により前記流入部を蛇口に着脱可能に結合させる筐体と、
前記筐体内に設けられ、前記流入部に対応する乱流手段と、
前記筐体内に設けられ、前記乱流手段に結合された発電手段と、
前記筐体内に設けられ、前記発電手段に電気的に接続され、殺菌光源を有する殺菌手段と、
前記筐体内に設けられ、前記流出部及び前記殺菌手段に対応し、複数の浄化粒子を備える浄化手段と、
を含む、浄水器。
【請求項２】
前記筐体は、前記流入部及び前記乱流手段に連通するネック部をさらに含む、請求項１に記載の浄水器。
【請求項３】
前記発電手段は、電磁式発電機と、羽根組と、を含み、前記羽根組が前記電磁式発電機に接続され、前記電磁式発電機の頂端に位置制限溝を有し、前記電磁式発電機の両側に各々流路部を有し；前記乱流手段は、組付部と、カバーと、複数の乱流入口と、を含み、前記組付部が前記カバーの底部に周設され、前記乱流入口が前記カバーの側縁部に設けられ、かつ前記組付部が前記電磁式発電機の前記位置制限溝に設けられることで、前記カバーにより前記羽根組を覆わせ、前記乱流入口が前記流路部に連通し、かつ前記乱流入口が前記羽根組の接線方向に沿って設けられる、請求項１に記載の浄水器。
【請求項４】
前記殺菌手段は、制御モジュールと、少なくとも１個の殺菌灯と、防水接着剤層と、を含み、前記制御モジュールが前記発電手段の底部に設けられ、前記殺菌灯が電気的な接続方式で前記制御モジュールの一面に設けられ、前記殺菌灯に殺菌光源を発光させることができ、前記防水接着剤層が前記制御モジュールの一面に設けられることで前記殺菌灯を露出させる、請求項１に記載の浄水器。